【手続補正書】
【提出日】平成17年12月6日(2005.12.6)
【手続補正１】
【補正対象書類名】明細書
【補正対象項目名】特許請求の範囲
【補正方法】変更
【補正の内容】
【特許請求の範囲】    【請求項１】文書データの送信が可能なアプリケーションでの音声入力による文書データ作成において使用される音声認識辞書を作成するための音声認識辞書作成方法であって、  文書データ作成処理が開始されたことを検出する検出工程と、  前記文書データ作成処理が開始された場合、前記アプリケーションにおいて取得された文書データを読み込む読み込み工程と、  前記読み込まれた文書データを解析して、既存の音声認識辞書に存在しない未知語を抽出する抽出工程と、  前記抽出した未知語を含む音声認識辞書を作成する作成工程と  を備えることを特徴とする音声認識辞書作成方法。    【請求項２】メールの送信が可能なアプリケーションでの音声入力によるメール作成において使用される音声認識辞書を作成するための音声認識辞書作成方法であって、  メール作成処理が開始されたことを検出する検出工程と、  前記メール作成処理が開始された場合、前記アプリケーションにおいて取得された文書データを読み込む読み込み工程と、  前記読み込まれた文書データを解析して、既存の音声認識辞書に存在しない未知語を抽出する抽出工程と、  前記抽出した未知語を含む音声認識辞書を作成する作成工程と  を備えることを特徴とする音声認識辞書作成方法。    【請求項３】前記アプリケーションにおいて取得された文書データは、前記アプリケーションにおいて受信されたメールであることを特徴とする請求項１または２に記載の音声認識辞書作成方法。    【請求項４】前記アプリケーションにおいて取得された文書データは、前記アプリケーションにおいて取得されたウェブページであることを特徴とする請求項１または２に記載の音声認識辞書作成方法。    【請求項５】前記文書データ作成処理が終了されたことを検出する工程と、  前記文書データ作成処理が終了された場合、前記未知語を含む音声認識辞書を削除する工程と  を更に備えることを特徴とする請求項１、３または４のいずれかに記載の音声認識辞書作成方法。    【請求項６】前記メール作成処理が終了されたことを検出する工程と、  前記メール作成処理が終了された場合、前記未知語を含む音声認識辞書を削除する工程と  を更に備えることを特徴とする請求項２乃至４のいずれかに記載の音声認識辞書作成方法。    【請求項７】前記抽出した未知語を含む音声認識辞書を作成した日時を記憶する工程と、  前記記憶された日時から設定された期間を経過した場合に、前記未知語を含む音声認識辞書を削除する工程と  を更に備えることを特徴とする請求項１乃至４のいずれかに記載の音声認識辞書作成方法。    【請求項８】前記抽出した未知語を含む音声認識辞書を作成するにあたり、該未知語ごとに登録日時を記憶する工程と、  前記記憶された登録日時から設定された期間を経過した未知語を削除する工程と  を更に備えることを特徴とする請求項１乃至４のいずれかに記載の音声認識辞書作成方法。    【請求項９】前記未知語を抽出する工程において、解析した文書データ中に既存の未知語を含む音声認識辞書に登録された単語が含まれる場合は、該単語の前記登録日時を更新する工程を更に備えることを特徴とする請求項８に記載の音声認識辞書作成方法。    【請求項１０】前記抽出した未知語を含む音声��識辞書は、前記送信される文書データの送信先ごとに作成されることを特徴とする請求項１、３または４のいずれかに記載の音声認識辞書作成方法。    【請求項１１】前記抽出した未知語を含む音声認識辞書は、前記送信されるメールの送信先ごとに作成されることを特徴とする請求項２乃至４のいずれかに記載の音声認識辞書作成方法。    【請求項１２】前記抽出した未知語を含む音声認識辞書は、前記アプリケーションにおいて受信されたメールのサブジェクトごとに作成されることを特徴とする請求項３に記載の音声認識辞書作成方法。    【請求項１３】前記作成工程は、前記抽出工程で抽出した未知語を既存の音声認識辞書に追加することで、前記抽出した未知語を含む音声認識辞書を作成することを特徴とする請求項１又は２に記載の音声認識辞書作成方法。    【請求項１４】前記抽出した未知語を含む音声認識辞書は、前記ウェブページのＵＲＬごとに作成されることを特徴とする請求項４に記載の音声認識辞書作成方法。    【請求項１５】請求項１乃至１４のいずれか１つに記載の音声認識辞書作成方法をコンピュータによって実現させるための制御プログラム。    【請求項１６】文書データの送信が可能なアプリケーションでの音声入力による文書データ作成において使用される音声認識辞書を作成するための音声認識辞書作成装置であって、  文書データ作成処理が開始されたことを検出する検出手段と、  前記文書データ作成処理が開始された場合、前記アプリケーションにおいて取得された文書データを読み込む読み込み手段と、  前記読み込まれた文書データを解析して、既存の音声認識辞書に存在しない未知語を抽出する手段と、  前記抽出した未知語を含む音声認識辞書を作成する作成手段と  を備えることを特徴とする音声認識辞書作成装置。    【請求項１７】メールの送信が可能なアプリケーションでの音声入力によるメール作成において使用される音声認識辞書を作成するための音声認識辞書作成装置であって、  メール作成処理が開始されたことを検出する検出手段と、  前記メール作成処理が開始された場合、前記アプリケーションにおいて取得された文書データを読み込む読み込み手段と、  前記読み込まれた文書データを解析して、既存の音声認識辞書に存在しない未知語を抽出する抽出手段と、  前記抽出した未知語を含む音声認識辞書を作成する作成手段と  を備えることを特徴とする音声認識辞書作成装置。【手続補正２】
【補正対象書類名】明細書
【補正対象項目名】０００５
【補正方法】変更
【補正の内容】
【０００５】  一方、一旦登録した単語は、使用者が音声認識辞書から削除するまで保持するのが一般的である。
【手続補正３】
【補正対象書類名】明細書
【補正対象項目名】００７８
【補正方法】削除
【補正の内容】
【手続補正４】
【補正対象書類名】明細書
【補正対象項目名】００７９
【補正方法】削除
【補正の内容】
【手続補正５】
【補正対象書類名】明細書
【補正対象項目名】００８０
【補正方法】削除
【補正の内容】
【手続補正６】
【補正対象書類名】明細書
【補正対象項目名】００８１
【補正方法】削除
【補正の内容】
【手続補正７】
【補正対象書類名】明細書
【補正対象項目名】００８２
【補正方法】削除
【補正の内容】
【手続補正８】
【補正対象書類名】明細書
【補正対象項目名】００８３
【補正方法】削除
【補正の内容】
【手続補正９】
【補正対象書類名】明細書
【補正対象項目名】００８４
【補正方法】削除
【補正の内容】
【手続補正１０】
【補正対象書類名】明細書
【補正対象項目名】００８５
【補正方法】削除
【補正の内容】
【手続補正１１】
【補正対象書類名】明細書
【補正対象項目名】００８６
【補正方法】削除
【補正の内容】
【手続補正１２】
【補正対象書類名】明細書
【補正対象項目名】００８７
【補正方法】削除
【補正の内容】
【手続補正１３】
【補正対象書類名】明細書
【補正対象項目名】００８８
【補正方法】削除
【補正の内容】
【手続補正１４】
【補正対象書類名】明細書
【補正対象項目名】００８９
【補正方法】削除
【補正の内容】
【手続補正１５】
【補正対象書類名】明細書
【補正対象項目名】００９０
【補正方法】削除
【補正の内容】
【手続補正１６】
【補正対象書類名】明細書
【補正対象項目名】００９１
【補正方法】削除
【補正の内容】
【手続補正１７】
【補正対象書類名】明細書
【補正対象項目名】００９２
【補正方法】削除
【補正の内容】
【手続補正１８】
【補正対象書類名】明細書
【補正対象項目名】００９３
【補正方法】削除
【補正の内容】
【手続補正１９】
【補正対象書類名】明細書
【補正対象項目名】００９４
【補正方法】削除
【補正の内容】